(57)【要約】【課題】シャープネス補正などの画質調整によってノイズが増大することによる画質低下を抑制できる画像処理装置、プロジェクタ、画像処理方法、および画像処理装置の制御方法を提供すること。【解決手段】プロジェクタ１の画像処理部１０は、映像信号入力部１１と、ノイズリダクション処理部１３と、シャープネス補正部１４と、操作信号入力部１６と、コントローラ１７とを備える。ユーザが、画質調整メニュー画面に従って操作リモコン３や操作パネル３０を操作して、シャープネス補正をより強く行うよう設定の変更を指示すると、コントローラ１７は、シャープネス補正部１４の設定を変更するとともに、ノイズリダクションをより強く行うようにノイズリダクション処理部１３の設定を変更する。【選択図】図１
2009055164.tif 000002
【特許請求の範囲】
【請求項１】
表示すべき画像を表す画像信号の入力を受ける画像信号入力手段と、
前記画像信号に含まれるノイズを低減させるノイズ低減処理を行うノイズ低減手段と、
前記ノイズ低減処理を施した画像信号に対して、前記画像の表示画質を調整する画質調整処理を行う画質調整手段と、を備えることを特徴とする画像処理装置。
【請求項２】
請求項１に記載の画像処理装置において、
前記画質調整処理における調整量を規定する画質調整パラメータ、および前記ノイズ低減処理におけるノイズの低減量を規定するノイズ低減パラメータの設定を制御する制御手段を、さらに備え、
前記制御手段は、前記画質調整パラメータの設定を変更する場合に、前記画質調整パラメータの変更に伴うノイズの増加を抑制するように、前記ノイズ低減パラメータの設定を変更することを特徴とする画像処理装置。
【請求項３】
請求項２に記載の画像処理装置において、
パラメータの設定を指示する旨の操作入力を受ける操作入力手段を、さらに備え、
前記制御手段は、
前記画質調整パラメータを変更する旨の指示操作が前記操作入力手段に入力された場合に、前記入力された指示操作に従って前記画質調整パラメータの設定を変更するとともに、前記画質調整パラメータの変更に伴うノイズの増加を抑制するように、前記ノイズ低減パラメータの設定を変更することを特徴とする画像処理装置。
【請求項４】
請求項３に記載の画像処理装置において、
前記制御手段は、
所定の表示画質に調整するよう設定された複数の表示モードのうちいずれか１つに基づいて前記画質調整処理を制御可能であり、
表示モードを切り替える旨の指示操作が前記操作入力手段に入力された場合、前記表示モードの変更に伴うノイズの増加を抑制するように、前記ノイズ低減パラメータの設定を変更することを特徴とする画像処理装置。
【請求項５】
請求項１ないし４のいずれか一項に記載の画像処理装置において、
前記画質調整処理は、シャープネス補正、明るさ補正、またはコントラスト補正のうち少なくとも１つを含むことを特徴とする画像処理装置。
【請求項６】
請求項１ないし５のいずれか一項に記載の画像処理装置と、
光源と、
前記光源からの光を、前記画質調整処理および前記ノイズ低減処理が施された画像の画像信号に応じて変調する光変調素子と、
前記変調された光を投影する投影手段と、を備えることを特徴とするプロジェクタ。
【請求項７】
請求項６に記載のプロジェクタにおいて、
前記制御手段は、
前記画質調整パラメータを設定するためのパラメータ設定画面の画像信号を前記光変調素子に出力し、
投影される前記パラメータ設定画面に従って前記画質調整パラメータを変更する旨の指示操作が前記操作入力手段に入力された場合に、前記指示操作に従って前記画質調整パラメータの設定を変更するとともに、前記画質調整パラメータの変更に伴うノイズの増加を抑制するように、前記ノイズ低減パラメータの設定を変更することを特徴とするプロジェクタ。
【請求項８】
表示すべき画像を表す画像信号の入力を受けるステップと、
前記画像信号に含まれるノイズを低減させるノイズ低減処理を行うステップと、
前記ノイズ低減処理を施した画像信号に対して、前記画像の表示画質を調整する画質調整処理を行うステップと、を備えることを特徴とする画像処理方法。
【請求項９】
表示すべき画像を表す画像信号の入力を受ける画像信号入力手段と、
表示画質の調整量を規定する画質調整パラメータに基づき、前記画像信号に対して、前記画像の表示画質を調整する画質調整処理を行う画質調整手段と、
ノイズの低減量を規定するノイズ低減パラメータに基づき、前記画像信号に含まれるノイズを低減させるノイズ低減処理を行うノイズ低減手段と、を備える画像処理装置の制御方法であって、
前記画質調整パラメータの設定を変更するステップと、
前記画質調整パラメータの変更に伴うノイズの増加を抑制するように、前記ノイズ低減パラメータの設定を変更するステップと、を備えることを特徴とする画像処理装置の制御方法。
【発明の詳細な説明】
【技術分野】
【０００１】
シャープネス補正などの画質調整を行う画像処理装置、プロジェクタ、画像処理方法、および画像処理装置の制御方法に関する。
【背景技術】
【０００２】
従来、シャープネス、明るさ（輝度）、コントラストなどについての画質調整パラメータを設定するためのメニュー画面を投影表示し、ユーザがリモコンなどを操作することにより投影画像の表示画質を調整可能としたプロジェクタが広く知られている（例えば、特許文献１参照）。
【０００３】
また、プロジェクタに入力される映像信号のノイズを低減させるノイズリダクション処理の有無や強弱を設定する項目をメニュー画面に含み、ユーザからの指示によりノイズ低減量を切り替え可能としたプロジェクタもある。
【０００４】
【特許文献１】特開２００２−１４９１４４号公報
【発明の開示】
【発明が解決しようとする課題】
【０００５】
しかしながら、例えば、シャープネスのパラメータを変更して輪郭強調をより強める場合、映像信号に含まれるノイズも強調されてしまうことがある。輝度、コントラストについてもパラメータの変更によりノイズが強調されることがある。このように、シャープネス、輝度、コントラストなどについて画質調整を行う際に、強調されて増加したノイズ成分が、投影画像により鮮鋭に現れるようになって、画質低下を招いてしまうという課題がある。
【０００６】
また、ユーザからの指示によりノイズ低減量を切り替え可能としたプロジェクタに対して、ユーザが好適な画質に調整しようとする場合、メニュー画面からシャープネス、輝度、コントラストなどのパラメータを変更するとともに、ノイズリダクションの設定を合わせて変更する必要が生じる。このため、調整に要する操作が複雑になって、ノイズを含めて好適な表示画質に調整することが困難になってしまうという課題もある。
【課題を解決するための手段】
【０００７】
本発明は、上述の課題の少なくとも１部を解決するためになされたものであり、以下の形態または適用例として実現することが可能である。
【０００８】
［適用例１］表示すべき画像を表す画像信号の入力を受ける画像信号入力手段と、前記画像信号に含まれるノイズを低減させるノイズ低減処理を行うノイズ低減手段と、前記ノイズ低減処理を施した画像信号に対して、前記画像の表示画質を調整する画質調整処理を行う画質調整手段と、を備えることを特徴とする画像処理装置。
【０００９】
この構成によれば、ノイズ低減処理を施した画像信号に対して画質調整処理を行うので、表示画質が調整されるとともにノイズが抑制された、好適な表示画質の画像信号を得ることができる。
【００１０】
［適用例２］上記画像処理装置において、前記画質調整処理における調整量を規定する画質調整パラメータ、および前記ノイズ低減処理におけるノイズの低減量を規定するノイズ低減パラメータの設定を制御する制御手段を、さらに備え、前記制御手段は、前記画質調整パラメータの設定を変更する場合に、前記画質調整パラメータの変更に伴うノイズの増加を抑制するように、前記ノイズ低減パラメータの設定を変更することを特徴とする画像処理装置。
【００１１】
この構成によれば、画質調整パラメータの変更に伴うノイズの増加は、ノイズ低減処理によって抑制されるので、画質調整パラメータを変更する際の画質低下を防ぐことができる。
【００１２】
［適用例３］上記画像処理装置において、パラメータの設定を指示する旨の操作入力を受ける操作入力手段を、さらに備え、前記制御手段は、前記画質調整パラメータを変更する旨の指示操作が前記操作入力手段に入力された場合に、前記入力された指示操作に従って前記画質調整パラメータの設定を変更するとともに、前記画質調整パラメータの変更に伴うノイズの増加を抑制するように、前記ノイズ低減パラメータの設定を変更することを特徴とする画像処理装置。
【００１３】
この構成によれば、画質調整パラメータの変更を指示する旨の指示操作が入力された場合に、指示に基づいて画質調整パラメータが変更されるとともに、画質調整パラメータの変更に伴うノイズの増加による画質低下を防ぐことができる。したがって、ユーザは、ノイズによる画質低下を考慮することなく画質調整パラメータを変更させる操作を行うことによって、好適な表示画質に容易に調整することができる。
【００１４】
［適用例４］上記画像処理装置において、前記制御手段は、所定の表示画質に調整するよう設定された複数の表示モードのうちいずれか１つに基づいて前記画質調整処理を制御可能であり、表示モードを切り替える旨の指示操作が前記操作入力手段に入力された場合、前記表示モードの変更に伴うノイズの増加を抑制するように、前記ノイズ低減パラメータの設定を変更することを特徴とする画像処理装置。
【００１５】
この構成によれば、表示モードの設定変更によるノイズの増加が、ノイズ低減処理により抑制されるので、表示モードを変更する際の画質低下を防ぐことができる。
【００１６】
［適用例５］上記画像処理装置において、前記画質調整処理は、シャープネス補正、明るさ補正、またはコントラスト補正のうち少なくとも１つを含むことを特徴とする画像処理装置。
【００１７】
この構成によれば、シャープネス補正、明るさ補正、またはコントラスト補正の設定を変更する際の画質低下を防ぐことができる。
【００１８】
［適用例６］上記画像処理装置と、光源と、前記光源からの光を、前記画質調整処理および前記ノイズ低減処理が施された画像の画像信号に応じて変調する光変調素子と、前記変調された光を投影する投影手段と、を備えることを特徴とするプロジェクタ。
【００１９】
この構成によれば、画質調整パラメータを変更する際の画質低下を防ぎ、好適な画質の画像を投影表示可能なプロジェクタを得ることができる。
【００２０】
［適用例７］上記プロジェクタにおいて、前記制御手段は、前記画質調整パラメータを設定するためのパラメータ設定画面の画像信号を前記光変調素子に出力し、投影される前記パラメータ設定画面に従って前記画質調整パラメータを変更する旨の指示操作が前記操作入力手段に入力された場合に、前記指示操作に従って前記画質調整パラメータの設定を変更するとともに、前記画質調整パラメータの変更に伴うノイズの増加を抑制するように、前記ノイズ低減パラメータの設定を変更することを特徴とするプロジェクタ。
【００２１】
この構成によれば、ユーザは、投影表示されたパラメータ設定画面に従って操作入力手段から画質調整パラメータの変更を指示することにより、ノイズを含めた好適な表示画質に容易に調整することができる。
【００２２】
［適用例８］表示すべき画像を表す画像信号の入力を受けるステップと、前記画像信号に含まれるノイズを低減させるノイズ低減処理を行うステップと、前記ノイズ低減処理を施した画像信号に対して、前記画像の表示画質を調整する画質調整処理を行うステップと、を備えることを特徴とする画像処理方法。
【００２３】
このようにすれば、ノイズ低減処理を施した画像信号に対して画質調整処理を行うので、表示画質が調整されるとともにノイズが抑制された、好適な表示画質の画像信号を得ることができる。
【００２４】
［適用例９］表示すべき画像を表す画像信号の入力を受ける画像信号入力手段と、表示画質の調整量を規定する画質調整パラメータに基づき、前記画像信号に対して、前記画像の表示画質を調整する画質調整処理を行う画質調整手段と、ノイズの低減量を規定するノイズ低減パラメータに基づき、前記画像信号に含まれるノイズを低減させるノイズ低減処理を行うノイズ低減手段と、を備える画像処理装置の制御方法であって、前記画質調整パラメータの設定を変更するステップと、前記画質調整パラメータの変更に伴うノイズの増加を抑制するように、前記ノイズ低減パラメータの設定を変更するステップと、を備えることを特徴とする画像処理装置の制御方法。
【００２５】
このようにすれば、画質調整パラメータの変更に伴うノイズの増加は、ノイズ低減処理によって抑制されるので、画質調整パラメータを変更する際の画質低下を防ぐことができる。
【発明を実施するための最良の形態】
【００２６】
（第１の実施例）
以下、本発明の実施の形態に係る第１の実施例について図面を参照して説明する。
【００２７】
図１に、第１の実施例に係るプロジェクタの構成を示す。図１に示すように、プロジェクタ１は、ＤＶＤプレーヤなどの映像再生機器２から入力される映像信号に対して各種の画像処理を行う画像処理部（画像処理装置）１０と、ランプ（光源）２１、液晶パネル（光変調素子）２２および投写レンズ（投影手段）２３などからなる投影表示部２０と、ユーザがプロジェクタ１を操作するための各種スイッチを有する操作パネル３０と、を備えている。また、プロジェクタ１の外部には、プロジェクタ１の動作をユーザが遠隔操作するための操作リモコン３が備えられている。なお、本実施例のプロジェクタ１は、ランプ２１からの光を液晶パネル２２により変調し、変調された画像光をスクリーンや壁などに拡大投影することにより画像を表示するプロジェクタ、いわゆるフロントプロジェクタである。
【００２８】
画像処理部１０の構成について説明する。画像処理部１０は、映像信号入力部（画像信号入力手段）１１と、フレームメモリ１２と、ノイズリダクション処理部（ノイズ低減手段）１３と、シャープネス補正部（画質調整手段）１４と、Ｌ／Ｖ駆動部１５と、操作信号入力部（操作入力手段）１６と、コントローラ（制御手段）１７と、を有する。
【００２９】
映像信号入力部１１は、映像再生機器２から、多数のフレームの各フレーム画像を時系列順に表す映像信号（画像信号）の入力を受ける部分である。映像信号入力部１１は、コンポジットやコンポーネントなどのアナログ入力や、ＨＤＭＩなどのデジタル入力に対応しており、入力された映像信号のフレームに対して適宜Ａ／Ｄ変換を行い、映像信号の各フレーム画像を画像データとしてフレームメモリ１２に順次格納する。
【００３０】
ノイズリダクション処理部１３は、画像データとしてフレームメモリ１２に格納されたフレーム画像に、ノイズリダクションの処理を行う部分である。ノイズリダクション処理部１３は、処理対象とするフレーム画像に対して、時系列順に１つ前（すなわち、１つ過去のフレーム）のフレーム画像を用いてフレーム間平均の演算を行うことにより、入力された映像信号に混在する時間軸におけるノイズ成分を低減させる３次元ノイズリダクションの処理を行う。
【００３１】
また、ノイズリダクション処理部１３は、３次元ノイズリダクションにおけるフレーム間平均の演算において、処理対象のフレーム画像に対する１つ前のフレーム画像への重み係数を変更することにより、ノイズ低減量、すなわちノイズリダクション処理の強さの大小を多段階に切り替え可能になっている。
【００３２】
シャープネス補正部１４は、ノイズリダクションが施されたフレーム画像の画像信号に対してシャープネス補正による画質調整を行う部分である。シャープネス補正では、フレーム画像に対して、ラプラシアンフィルタを用いた輪郭強調を行うことにより、表示画質のシャープネスを高める処理を行う。具体的には、ラプラシアンフィルタにより検出される原画像の輪郭成分を原画像に合成するフィルタ処理によって、輪郭強調されたフレーム画像の画像信号を生成する。
【００３３】
また、シャープネス補正部１４は、輪郭成分を強調するフィルタ係数を変更することにより、調整量、すなわちシャープネス補正の強さの大小を多段階に切り替え可能になっている。
【００３４】
Ｌ／Ｖ駆動部１５は、ノイズリダクション処理およびシャープネス補正が施された画像画像信号を、ライトバルブである液晶パネル２２に所定の信号形式で出力することによって、液晶パネル２２を駆動制御する部分である。
【００３５】
操作信号入力部１６は、操作パネル３０からスイッチの操作内容を示す操作信号の入力を受ける処理や、操作リモコン３と無線通信してリモコンの操作内容を示す操作信号の入力を受ける処理を行う。また、操作信号入力部１６は、入力された操作信号をコントローラ１７に受け渡して指示内容を通知する。
【００３６】
コントローラ１７は、プロジェクタ１の各構成を制御する部分であり、ＣＰＵ１７ａ、ＲＯＭ１７ｂ、ＲＡＭ１７ｃなどを有している。ＲＯＭ１７ｂには制御プログラムが記憶されており、ＣＰＵ１７ａがＲＯＭ１７ｂから制御プログラムを読み出して実行することにより、Ｌ／Ｖ駆動部１５を制御して各種メニュー画面を投影表示させる処理や、操作信号入力部１６に入力された操作信号に従ってノイズリダクションやシャープネス補正の設定を切り替える制御などを行う。
【００３７】
図２に、メニュー画面のうちの１つである画質調整メニューの画面を示す。画質調整メニュー画面ＧＭは、ユーザが操作リモコン３や操作パネル３０に備わる所定のスイッチを押下すると、コントローラ１７の制御により投影表示される。画質調整メニュー画面ＧＭには、カラーモードの設定欄１００、明るさの設定欄１０１、コントラストの設定欄１０２、シャープネスの設定欄１０３など、表示画質の各種設定項目についての設定欄、およびメニュー選択欄ＭＳが含まれている。カラーモードの設定欄１００については、プロジェクタ１の用途に対応する「リビングモード」、「シアターモード」など複数のモードのうちから１つのモードを選択可能になっている。また、明るさ、コントラスト、シャープネスの各設定欄１０１〜１０３については、画質調整パラメータを「０〜２０」の２１段階に設定可能になっており、設定したパラメータの値を示す数字が表示されるようになっている。メニュー選択欄ＭＳには、「画質」、「映像」、…などメニュー画面の種類を切り替えるための各種項目が表示されている。
【００３８】
図３に、映像調整メニューの画面を示す。映像調整メニュー画面ＥＭは、ユーザが操作リモコン３や操作パネル３０を操作して、メニュー選択欄ＭＳから「映像」の項目を選択したときに、メニュー画面の種類を切り替えるようにして表示される。映像調整メニュー画面ＥＭには、画面のアスペクト比などの各種設定欄や、ノイズリダクションの設定欄１１０が含まれている。ノイズリダクションの設定欄１１０は、画質調整メニュー画面ＧＭの設定欄と同様に、ノイズリダクションのパラメータを「０」〜「２０」の２１段階に設定可能になっている。
【００３９】
ユーザは、プロジェクタ１が投影表示するメニュー画面に従って、操作リモコン３や操作パネル３０のスイッチを操作することにより、明るさ、コントラスト、シャープネスの画質調整パラメータ、およびノイズリダクションのパラメータを所望の値に設定することができる。このとき、コントローラ１７は、設定された画質調整パラメータおよびノイズリダクションのパラメータに対応する設定値をそれぞれ算出して、ノイズリダクション処理部１３およびシャープネス補正部１４に対して適用する。すなわち、３次元ノイズリダクションのフレーム間平均の演算に用いる重み係数を算出して、ノイズリダクション処理部１３に対して設定する。また、シャープネス補正において原画像に合成する際の輪郭成分のフィルタ係数を算出して、シャープネス補正部１４に対して設定する。これにより、メニュー画面にてユーザが設定したパラメータに応じた画質調整およびノイズリダクションを行うように制御される。
【００４０】
ここで、例えば、ユーザが、画質調整メニュー画面ＧＭのシャープネスの設定欄１０３から、画質調整パラメータを、例えば「０」から「２０」に変更するようにして、輪郭強調によるシャープネス補正をより強く行うように指示した場合、フレーム画像に含まれるノイズ成分についても輪郭強調される結果、入力された映像信号に混在しているノイズが増幅するようにして増大する。そこで、コントローラ１７は、ユーザからの指示によりシャープネス補正をより強くかけるように、シャープネス補正の画質調整パラメータが変更された場合に、ノイズの増加を抑制するため、ノイズリダクションを強めるようにノイズリダクションの設定を変更する制御を行う。以下、メニュー画面からの設定変更に伴ってコントローラ１７が行う処理について、図４のフローチャートに従って詳細に説明する。
【００４１】
ユーザが、操作リモコン３や操作パネル３０から、画質調整メニュー画面ＧＭに対して設定変更を指示する旨の操作を行い、操作信号入力部１６に操作信号が入力されると、図４の処理を開始して、コントローラ１７は、設定変更を指示する旨の操作信号を操作信号入力部１６から受け取って（ステップＳ１００）、受け取った操作信号の指示がシャープネス補正の設定を変更するものであるか否かを判断する（ステップＳ１１０）。
【００４２】
操作信号の指示内容がシャープネス補正を設定変更するものであった場合（ステップＳ１１０：Ｙｅｓ）、操作信号の指示内容に基づいて、ノイズリダクションのパラメータ変更量を決定する（ステップＳ１２０）。ここでは、シャープネス補正の画質調整パラメータの値が大きくなるように設定変更された場合、シャープネス補正がより強く掛かってノイズが増幅されるので、ノイズリダクションによるノイズ低減量が大きくなるようにノイズリダクションのパラメータを増加させる。また、シャープネス補正の画質調整パラメータの値が減少するように設定変更された場合は、シャープネス補正のパラメータ変更量に応じて、ノイズリダクションのパラメータの値を減少させる。このとき、ノイズリダクションについてのパラメータ変更量は、シャープネス補正のパラメータ変更量に対して、予め決められた比率となるように定めてもよいし、シャープネス補正のパラメータ変更量とノイズリダクションのパラメータ変更量とを予め対応付けたテーブルに従って定めるようにしてもよい。
【００４３】
こうして、ノイズリダクションのパラメータ変更量が決定されると、次に、コントローラ１７は、決定したパラメータ変更量に基づいて、ノイズリダクションの設定を変更する（ステップＳ１３０）。ここでは、コントローラ１７は、ステップＳ１２０にて決定されたパラメータ変更量から、ノイズリダクションのフレーム間演算に用いる重み係数を算出して、ノイズリダクション処理部１３に重み係数の設定値をセットすることにより、ノイズリダクション処理部１３に新たな設定を適用する。
【００４４】
次に、コントローラ１７は、指示された調整項目であるシャープネス補正の設定を変更する（ステップＳ１４０）。ここでは、ユーザからの指示内容から、シャープネス補正のフィルタ係数を算出して、シャープネス補正部１４にフィルタ係数の設定値をセットすることにより、シャープネス補正部１４に新たな設定を適用する。ステップＳ１４０の処理を行うと、図４の処理を終了する。
【００４５】
一方、ステップＳ１１０において、操作信号の指示内容がシャープネス補正を設定変更するものでなかった場合（ステップＳ１１０：Ｎｏ）、指示された調整項目の設定を変更して（ステップＳ１５０）、図４の処理を終了する。
【００４６】
以上に説明したように、本プロジェクタ１では、画質調整メニュー画面ＧＭにおけるシャープネスの設定が変更されると、ノイズリダクションの設定が変更される。すなわち、シャープネスの設定変更に連動して、ノイズリダクションの設定が変更されるようになっている。例えば、図５（ａ）に示すように、画質調整メニュー画面ＧＭにおいて、ユーザが操作リモコン３や操作パネル３０を操作して、シャープネス補正のパラメータを「０」から「２０」に変更した場合、以降に表示される映像調整メニュー画面ＥＭは、図５（ｂ）に示すように、設定変更前は「０」であったノイズリダクションのパラメータが、シャープネス補正の設定変更に伴う変更後の値（図５（ｂ）の例では「１０」）で表示されるようになる。
【００４７】
次に、入力された映像信号に対して画像処理部１０が行う処理について、図６のフローチャートに従って説明する。
【００４８】
映像再生機器２から映像信号入力部１１に映像信号が入力されると、順次入力される映像信号の各フレーム画像に対して図６の処理が行われる。図６の処理を開始すると、まず、映像信号入力部１１は入力される映像信号が表す処理対象のフレーム画像を、画像データに変換してフレームメモリ１２に格納する（ステップＳ２００）。
【００４９】
次に、ノイズリダクション処理部１３は、フレームメモリ１２からフレーム画像の画像データを読み出して、ステップＳ１３０においてコントローラ１７から通知された設定値に従うノイズリダクションの処理を行う（ステップＳ２１０）。なお、ここでは、処理対象のフレーム画像のデータをフレームメモリ１２から読み出すとともに、処理対象のフレーム画像に対して時系列順に１つ前のフレーム画像のデータをフレームメモリ１２から読み出し、２つのフレーム画像を用いてノイズリダクションの処理を行う。そして、ノイズリダクション処理部１３は、ノイズリダクション処理後の画像の画像信号をシャープネス補正部１４に出力する。
【００５０】
次に、シャープネス補正部１４は、ノイズリダクション処理後の画像信号に対して、ステップＳ１４０においてコントローラ１７から通知された設定値に従うシャープネス補正の処理、すなわち輪郭強調処理を行う（ステップＳ２２０）。そして、シャープネス補正部１４は、シャープネス補正後の画像信号をＬ／Ｖ駆動部１５に出力する。
【００５１】
次に、Ｌ／Ｖ駆動部１５は、シャープネス補正後の画像信号を液晶パネル２２を駆動するための所定の形式の画像信号に変換して、液晶パネル２２に出力することにより、シャープネス補正後のフレーム画像を投影表示させる（ステップＳ２３０）。ステップＳ２３０の処理を終えると図６の処理を終了する。
【００５２】
以下、第１の実施例の効果を記載する。
【００５３】
（１）ユーザが、操作リモコン３や操作パネル３０を操作して、画質調整メニュー画面ＧＭからシャープネス補正をより強く行うように設定を変更すると、シャープネス補正の設定変更に連動してノイズリダクションをより強く行う設定に設定変更される。これにより、シャープネス補正によるノイズ成分の増加が抑制されるので、輪郭が強調された鮮鋭な絵でありながらノイズが少ない、好適な表示画質の画像を投影表示することができる。
【００５４】
（２）ユーザが、操作リモコン３や操作パネル３０を操作して、画質調整メニュー画面ＧＭからシャープネス補正の設定を変更する際、ノイズリダクションの設定を変更することなく、シャープネス補正の設定変更の影響を受けて変化するノイズが抑制される。このため、ユーザは、ノイズリダクションの設定変更を考慮することなく、シャープネス補正の設定を変更するようにして、ノイズを含めた好適な画質に容易に調整することができる。
【００５５】
（第２の実施例）
次に、第２の実施例について説明する。第２の実施例は、カラーモード（表示モード）の変更に連動して、ノイズリダクションの設定を変更する制御を行うものである。なお、以下の説明では、第１の実施例と同様の構成については同じ符号を付与し、詳細な説明を省略することにする。
【００５６】
図７に、第２の実施例に係るプロジェクタの構成を示す。図７に示すように、プロジェクタ２００の画像処理部２１０は、映像信号入力部１１と、フレームメモリ１２と、ノイズリダクション処理部１３と、色補正部１８と、Ｌ／Ｖ駆動部１５と、操作信号入力部１６と、コントローラ１７と、を有する。すなわち、プロジェクタ２００は、第１の実施例のプロジェクタ１のシャープネス補正部１４に代えて、色補正部１８を有した構成となっている。
【００５７】
色補正部１８は、「リビングモード」、「シアターモード」などの複数のカラーモードの各モードに対応する色補正テーブル（図示なし）を有しており、画質調整メニュー画面ＧＭのカラーモードの設定欄１００で選択されたカラーモードに対応する色補正テーブルを用いて色補正を行うようになっている。例えば、「リビングモード」はリビングなどの比較的明るい環境を想定したモードであり、明るい環境においても視認性を得ることができるように比較的明るい画像に色調整される。一方、「シアターモード」では、暗室などの暗環境を想定したモードであり、「リビングモード」に比べて、色を優先して明るさを抑えた画像に色調整されるとともに、ランプ２１の発光量を抑えて暗環境により適した画質に調整される。すなわち、使用用途に応じてカラーモードを変更することにより、用途に適した表示画質に調整できるようになっている。
【００５８】
ここで、カラーモードの設定を変更した場合、投影される画像の明るさなどの条件が変化するため、投影画像に現れるノイズが大きくなって、画質の低下を招くことがある。そのため、コントローラ１７は、画質調整メニュー画面ＧＭにおいて、ユーザが操作リモコン３や操作パネル３０を操作することによって、カラーモードの設定が変更された場合に、カラーモードの設定変更によるノイズの増加を抑えるようにノイズリダクションの設定を変更する。例えば、リビングモードであれば、投影画像が明るいためにノイズが大きくなって現れ易いので、ノイズリダクションを強くかけるように設定を変更する。
【００５９】
第２の実施例によれば、カラーモードの変更によって投影画像に現れるノイズによる画質低下を抑制し、ノイズの少ない好適な画質の画像を投影表示することができる。
【００６０】
以上、本画像処理装置および本プロジェクタに係る第１の実施例および第２の実施例について説明したが、これに限られることなく様々な態様とすることもできる。以下、変形例について説明する。
【００６１】
（変形例１）上記第１の実施例では、シャープネス補正に関する画質調整パラメータの変更に連動して、ノイズリダクションの設定を変更させるようにしたが、明るさやコントラストなどの画質調整についても、画質調整パラメータの変更に連動してノイズリダクションの設定を変更させてもよい。このようにすれば、明るさやコントラストを補正する際に、映像信号に含まれるノイズを増大させることがあるが、ノイズリダクションの設定変更を連動させることにより、表示画質の低下を防ぐことができる。また、１つの設定項目に連動してノイズリダクションの設定を変更する構成に限られることなく、シャープネス、明るさ、およびコントラストのうち複数の設定項目に連動して、ノイズリダクションの設定を変更する構成としてもよい。
【００６２】
（変形例２）上記第１の実施例では、メニュー画面において、「０」〜「２０」のパラメータを指定することにより、シャープネス補正およびノイズリダクションの設定を変更可能としていたが、例えば、「オフ」、「補正弱」、「補正強」などの補正の程度に対応する複数の選択肢のうちから選択して設定を変更するようにしてもよい。
【００６３】
（変形例３）上記第１の実施例および第２の実施例では、ユーザが操作パネルまたは操作リモコンを操作して、設定を変更するようにしたがこれに限られない。例えば、プロジェクタが映像信号の種類を判別して、映像信号の種類に応じてシャープネス補正の設定値を変更する構成とした場合に、シャープネス補正の設定変更に連動してノイズリダクションの設定を変更するようにしてもよい。
【００６４】
（変形例４）上記実施例では、シャープネス補正において、ラプラシアンフィルタを用いて輪郭強調を行うようにしたが、シャープネス補正の手法としては、これに限られることなく、例えば、メディアンフィルタや、Sobelフィルタや、Prewittフィルタを用いて輪郭強調を行うようにしてもよい。
【００６５】
（変形例５）上記実施例では、時系列順に１つ前のフレームを用いた３次元ノイズリダクションを行うようにしたが、処理対象のフレームに対して前後のフレームを用いて３次元ノイズリダクションを行うようにしてもよい。また、ノイズ成分を低減する方法としては、例えば、ローパスフィルタを用いたノイズリダクションにより、ノイズに対応する高周波成分を除去するようにしてもよい。
【００６６】
（変形例６）上記実施例では、液晶パネルを用いたフロントプロジェクタを例にして説明したが、リアプロジェクタやＤＶＤ再生装置を内蔵した一体型のプロジェクタについても同様に、ノイズリダクションの設定を画質調整に連動させてもよい。また、本画像処理装置は、ＤＬＰ（登録商標）、液晶ディスプレイ、有機ＥＬディスプレイ、プラズマディスプレイ、ＣＲＴ（Cathode Ray Tube）、ＦＥＤ（Field Emission Display）、ＳＥＤ（Surface-conduction Electron-Emitter Display）などの表示装置に適用してもよい。
【図面の簡単な説明】
【００６７】
【図１】第１の実施例に係るプロジェクタの構成を示した図。
【図２】画質調整メニュー画面の一例を示した図。
【図３】映像調整メニュー画面の一例を示した図。
【図４】メニュー画面からの設定変更に伴ってコントローラが行う処理の流れを示したフローチャート。
【図５】設定変更前後のメニュー画面を説明するための図であり、（ａ）は画質調整メニュー、（ｂ）は映像調整メニューを示した図。
【図６】入力された映像信号に対して行う画像処理部が行う処理の流れを示したフローチャート。
【図７】第２の実施例に係るプロジェクタの構成を示した図。
【符号の説明】
【００６８】
１…プロジェクタ、２…映像再生機器、３…操作リモコン、１０…画像処理装置としての画像処理部、１１…画像信号入力手段としての映像信号入力部、１２…フレームメモリ、１３…ノイズ低減手段としてのノイズリダクション処理部、１４…画質調整手段としてのシャープネス補正部、１５…Ｌ／Ｖ駆動部、１６…操作入力手段としての操作信号入力部、１７…制御手段としてのコントローラ、１８…色補正部、２０…投影表示部、２１…光源としてのランプ、２２…光変調素子としての液晶パネル、２３…投影手段としての投写レンズ、３０…操作パネル、ＧＭ…画質調整メニュー画面、ＥＭ…映像調整メニュー画面。
【図１】
2009055164.tif 000003
【図２】
2009055164.tif 000004
【図３】
2009055164.tif 000005
【図４】
2009055164.tif 000006
【図５】
2009055164.tif 000007
【図６】
2009055164.tif 000008
【図７】
2009055164.tif 000009